(57)【要約】【課題】耐久性向上と作業性向上とを図る。【解決手段】プランジャ７の溝１３にリンク部材１０の貫通孔１８の周りを挿入するとともに、止具１１における一対の支持壁１９；２０をプランジャ７における一対の取付片１４；１５とリンク部材１０の貫通孔１８の周りとの間に挿入した状態において、軸１２が一方の取付片１４の貫通孔１６から一方の支持壁１９の貫通孔２２、リンク部材１０の貫通孔１８、他方の支持壁２０の貫通孔２３、他方の取付片１５の貫通孔１７に順に挿入されるのに伴い、他方の支持壁２０の貫通孔２３周りと軸１２の環状溝２４とが互いに嵌合し、プランジャ７とリンク部材１０とが回転可能に連結される。【選択図】　　　　図１
2004008453.tif 000002
【特許請求の範囲】
【請求項１】
一方の部材と他方の部材と止具と軸とを備え、一方の部材が溝を挟んで相対峙する取付片に形成された貫通孔を有し、他方の部材が貫通孔を有し、止具が相対峙する一対の支持壁と支持壁を互いに連結する背壁と一対の支持壁のそれぞれに形成された貫通孔とを有し、軸が外周面に環状溝を有する形態であって、一方の部材における溝に他方の部材における貫通孔周りを挿入するとともに、止具における一対の支持壁を一方の部材における一対の取付片と前記他方の部材の貫通孔周りとの間に挿入し、軸を一方の部材における一方の取付片の貫通孔から止具における一方の支持壁の貫通孔、他方の部材における貫通孔、止具における他方の支持壁の貫通孔、一方の部材における他方の取付片の貫通孔に順に挿入するのに伴い、軸における環状溝と止具における他方の取付片の貫通孔周りとを嵌合することによって、一方の部材と他方の部材とを回転可能に連結したことを特徴とする遊技部品の可動装置。
【請求項２】
止具を金属で形成したことを特徴とする請求項１記載の遊技部品の可動装置。
【発明の詳細な説明】
【０００１】
【発明の属する技術分野】
本発明はパチンコ機のような遊技機に用いられる遊技部品における電磁ソレノイドまたはモータのような駆動源の動力を伝達する一方の部材と他方の部材とを動くように連結する部分の構造に関する。
【０００２】
【従来の技術】
図４および図５はパチンコ機のような遊技機に使用される電動チューリップや可変入賞装置などのような遊技部品における２つの部材を備えた可動装置を示す。図４の可動装置は、一方の部材である電磁ソレノイドのプランジャ７は先端から内部に窪む溝１３を備えるとともに、溝１３を囲むように相対峙する一対の取付片１４；１５に貫通孔１６：１７を備える。他方の部材である合成樹脂からなるリンク部材１０は貫通孔１８を備える。そして、リンク部材１０の貫通孔１８の周りがプランジャ７の溝１３に挿入された状態において、軸３１がプランジャ７における一方の取付片１４の貫通孔１６からリンク部材１０の貫通孔１８を経由してプランジャ７における他方の取付片１５の貫通孔１７に挿入され、双方の取付片１４；１５から外側に突出した軸３１に形成された溝３２；３３にＥリングのような止輪３４；３５を装着することによって、プランジャ７とリンク部材１０とが互いに軸３１を介して動くように連結されている。図５の可動装置は、リンク部材１０の貫通孔１８の周りがプランジャ７の溝１３に挿入されるとともに、プランジャ７の取付片１４；１５とリンク部材１０との間に座金３６；３７を挿入した状態において、軸３１がプランジャ７における一方の取付片１４の貫通孔１６から一方の座金３６の貫通孔３８、リンク部材１０の貫通孔１８、他方の座金３７の貫通孔３９を順に経由してプランジャ７における他方の取付片１５の貫通孔１７に挿入され、双方の取付片１４；１５から外側に突出した軸３１の溝３２；３３にＥリングのような止輪３４；３５を装着することによって、プランジャ７とリンク部材１０とが互いに軸３１を介して動くように連結されている。
【０００３】
【発明が解決しようとする課題】
しかしながら、図４における可動装置は金属からなる一方の部材であるプランジャ７に形成された溝１３に合成樹脂からなる他方の部材であるリンク部材１０を嵌め込んだ形態であるので、プランジャ７とリンク部材１０とが互いに動くことによってリンク部材１０が摩耗し、発生した摩耗粉がプランジャ７とリンク部材１０との連結部分に侵入し、連結部分での動作が不安定になるという問題点があった。また、図５における可動装置は複数の座金３６；３７をプランジャ７の取付片１４；１５とリンク部材１０との間に挿入した形態であるので、プランジャ７とリンク部材１０との連結構造を構築するための作業性が悪いという問題点があった。
【０００４】
そこで、本発明は耐久性向上と作業性向上とを図ることができる遊技部品の可動装置を提供するものである。
【０００５】
【課題を解決するための手段】
一方の部材と他方の部材と止具と軸とを備え、一方の部材が溝を挟んで相対峙する取付片に形成された貫通孔を有し、他方の部材が貫通孔を有し、止具が相対峙する一対の支持壁と支持壁を互いに連結する背壁と一対の支持壁のそれぞれに形成された貫通孔とを有し、軸が外周面に環状溝を有する形態であって、一方の部材における溝に他方の部材における貫通孔周りを挿入するとともに、止具における一対の支持壁を一方の部材における一対の取付片と前記他方の部材の貫通孔周りとの間に挿入し、軸を一方の部材における一方の取付片の貫通孔から止具における一方の支持壁の貫通孔、他方の部材における貫通孔、止具における他方の支持壁の貫通孔、一方の部材における他方の取付片の貫通孔に順に挿入するのに伴い、軸における環状溝と止具における他方の取付片の貫通孔周りとを嵌合して、一方の部材と他方の部材とを回転可能に連結したことによって、一方の部材と他方の部材とが互いに動いても、一方の部材における取付片と他方の部材との間に存在する止具の一対の支持壁が双方の部材の摩耗を防止し、連結構造の耐久性を向上することができ、しかも、止具の一対の支持壁が背壁で互いに連結された１つのまとまりになっているので、止具の一対の支持壁を一方の部材における取付片と他方の部材との間に挿入する作業が簡単となる。よって、一方の部材を金属で形成し、他方の部材を合成樹脂で形成しても、一方の部材に対する他方の部材の耐久性が向上する。また、本発明にあっては、止具を金属で形成すれば、軸を挿入する場合における止具における支持壁の弾性によって、軸の環状溝と止具の貫通孔周りとの嵌合を軸の挿入で適切に行うことができる。
【０００６】
【発明の実施の形態】
図１から図３は一実施形態であって、図１は遊技部品の可動装置の断面を示し、図２は同可動装置の分解した外観を示し、図３は遊技部品の外観を示す。
【０００７】
図３を参照し、遊技部品の例としてアタッカーや大入賞口と呼ばれるような可変入賞部品について説明する。可変入賞部品は箱形の部品本体１の前壁２に横長な球取入口３と球取入口３に球を取り入れるための開閉する開閉体４とを備える。開閉体４の下部が開閉軸５で球取入口３の周りの部品本体１に連結されたことによって、開閉体４は球取入口３に対し前後方向に開閉するように部品本体１に取り付けられる。開閉体４が前方に開くことによって球取入口３を解放し、開閉体４が後方に閉じることによって球取入口３を閉鎖する。
【０００８】
開閉体４を開閉動作するための開閉駆動源である電磁ソレノイド６は部品本体１の一側壁の外側面に取り付けられる。電磁ソレノイド６における金属からなるプランジャ７の中間部には止輪８が固定的に取り付けられ、プランジャ７における止輪８と電磁ソレノイド６との間の部分にはコイルスプリングのような弾性体９が装着される。電磁ソレノイド６が電力供給遮断で消磁している場合、プランジャ７は弾性体９によるばね力で下方に突出する。プランジャ７の先端部は動力伝達機構におけるレバーのような合成樹脂からなるリンク部材１０の中間部に連結される。リンク部材１０の一端は部品本体１の一側壁の外側面に回転可能に取り付けられ、リンク部材１０の他端は開閉体４に連結される。
【０００９】
図２を参照し、前記プランジャ７とリンク部材１０とを主要素とする可動装置について説明する。当該可動装置はプランジャ７とリンク部材１０とステンレスのような金属からなる止具１１と金属からなる軸１２とを備える。プランジャ７は溝１３を挟んで相対峙する取付片１４；１５に形成された貫通孔１６；１７を有する。リンク部材１０は貫通孔１８を有する。止具１１は相対峙する一対の支持壁１９；２０と、支持壁１９；２０を互いに連結する背壁２１と、一対の支持壁１９；２０のそれぞれに形成された貫通孔２２；２３とを有する。止具１１における貫通孔２２；２３は一方の支持壁１９における貫通孔２２の位置と他方の支持壁２０における貫通孔２３の位置とは図１に示すように同軸とならないように互いに横にずれている。また、貫通孔２２；２３の直径Ｄ１は軸１２の直径Ｄ２よりもわずかに大きい（Ｄ１≧Ｄ２）。軸１２は外周面に環状溝２４を有する。
【００１０】
そして、図１に示すように、プランジャ７の溝１３にリンク部材１０の貫通孔１８の周りを挿入するとともに、止具１１における一対の支持壁１９；２０をプランジャ７における一対の取付片１４；１５とリンク部材１０の貫通孔１８の周りとの間に挿入した状態において、軸１２が一方の取付片１４の貫通孔１６から一方の支持壁１９の貫通孔２２、リンク部材１０の貫通孔１８、他方の支持壁２０の貫通孔２３、他方の取付片１５の貫通孔１７に順に挿入されるのに伴い、他方の支持壁２０の貫通孔２３周りと軸１２の環状溝２４とが互いに嵌合し、プランジャ７とリンク部材１０とが回転可能に連結される。
【図面の簡単な説明】
【図１】一実施形態の可動装置を示す断面図。
【図２】同実施形態の可動装置を示す分解斜視図。
【図３】同実施形態の遊技部品を示す斜視図。
【図４】従来の可動装置を示す断面図。
【図５】異なる従来の可動装置を示す断面図。
【符号の説明】
７　プランジャ（一方の部材）、１０　リンク部材（他方の部材）、
１１　止具、１２　軸、１３　溝、１４；１５　取付片、１６；１７　貫通孔、
１８　貫通孔、１９；２０　支持壁、２１　背壁、２２；２３　貫通孔、２４　環状溝。
【図１】
2004008453.tif 000003
【図２】
2004008453.tif 000004
【図３】
2004008453.tif 000005
【図４】
2004008453.tif 000006
【図５】
2004008453.tif 000007